(57)【要約】【課題】中継交換機側のモニタ用制御回路等の不要化を図る。【解決手段】保守端末装置２４をデジタル回線終端回路２２、デジタル回線２１を介して保守用デジタル回線インタフェース回路１４に接続し、保守用デジタル回線インタフェース回路１４を局間信号制御回路１８を介して交換制御装置２０に接続する。接続して形成される接続系を介して接続制御情報を交換制御装置２０に入力する。交換制御装置２０によって交換スイッチ１６をスイッチングさせて交換機に接続される中継デジタル回線を交換スイッチ１６を介して保守用デジタル回線インタフェース回路１４に接続して中継デジタル回線の音声情報を上記接続系を介して電話機２６でモニタする。【選択図】図１
2008005245.tif 000002
【特許請求の範囲】
【請求項１】
交換制御装置と交換スイッチとを有する交換機に接続されるデジタル回線の音声情報をモニタする音声モニタ方法であって、
前記保守端末装置に接続制御情報を生成させ、生成された接続制御情報を、インタフェース回路を介して前記交換制御装置に入力させ、
前記交換制御装置は、前記接続制御情報が入力されると、前記交換スイッチを駆動して、前記デジタル回線を前記インタフェース回路に接続することで、
前記保守端末装置にて、前記音声情報をモニタすることを特徴とする交換機における音声モニタ方法。
【請求項２】
前記接続は、共通線信号方式で行うことを特徴とする請求項１記載の交換機における音声モニタ方法。
【請求項３】
前記インタフェース回路の前記交換制御装置への前記接続は、局間信号制御回路を介して行うことを特徴とする請求項２記載の交換機における音声モニタ方法。
【請求項４】
前記インタフェース回路の前記交換制御装置への前記接続は、保守端末専用の信号制御回路を介して行うことを特徴とする請求項２記載の交換機における音声モニタ方法。
【請求項５】
前記共通線信号方式は、ＮＯ.７信号方式であることを特徴とする請求項２、３又は４記載の交換機における音声モニタ方法。
【請求項６】
前記モニタデジタル回線は、有線回線であることを特徴とする請求項１乃至５のいずれか一に記載の交換機における音声モニタ方法。
【請求項７】
前記モニタデジタル回線は、無線回線であることを特徴とする請求項１乃至５のいずれか一に記載の交換機における音声モニタ方法。
【請求項８】
前記交換機は、中継交換機であることを特徴とする請求項１乃至７のいずれか一に記載の交換機における音声モニタ方法。
【請求項９】
交換制御装置と交換スイッチとを有する交換機に接続されるデジタル回線の音声情報をモニタする音声モニタ装置であって、
前記交換制御装置と、
前記交換スイッチと、
前記交換スイッチに接続されるインタフェース回路と、
前記音声情報をモニタするために、接続制御情報を生成する保守端末装置と、
前記保守端末装置を前記インタフェース回路に接続する第１の接続手段と、
該インタフェース回路を前記交換制御装置に接続する第２の接続手段とを備え、
前記保守端末装置で生成された前記接続制御情報が、前記保守端末装置から、前記第１の接続手段、前記インタフェース回路、前記第２の接続手段を介して、前記交換制御装置に入力されると、前記交換制御装置は、前記交換スイッチをスイッチングさせて前記デジタル回線と前記インタフェース回路とを接続させることで、前記保守端末装置が前記音声情報をモニタする構成になされていることを特徴とする交換機における音声モニタ装置。
【請求項１０】
前記保守端末装置と、前記第１の接続手段と、前記インタフェース回路と、前記第２の接続手段と、前記交換制御装置は、共通線信号方式で構成されることを特徴とする請求項９記載の交換機における音声モニタ装置。
【請求項１１】
前記第１の接続手段は、デジタル回線終端回路であることを特徴とする請求項９又は１０記載の交換機における音声モニタ装置。
【請求項１２】
前記第２の接続手段は、前記交換スイッチ及び局間信号制御回路であることを特徴とする請求項９、１０又は１１記載の交換機における音声モニタ装置。
【請求項１３】
前記第２の接続手段は、保守端末専用の信号制御回路であることを特徴とする請求項９、１０又は１１記載の交換機における音声モニタ装置。
【請求項１４】
前記共通線信号方式は、ＮＯ.７信号方式であることを特徴とする請求項１０、１１又は１２記載の交換機における音声モニタ装置。
【請求項１５】
前記モニタデジタル回線は、有線回線であることを特徴とする請求項９乃至１４のいずれか一に記載の交換機における音声モニタ装置。
【請求項１６】
前記モニタデジタル回線は、無線回線であることを特徴とする請求項９乃至１４のいずれか一に記載の交換機における音声モニタ装置。
【請求項１７】
前記交換機は、中継交換機であることを特徴とする請求項９乃至１６のいずれか一に記載の交換機における音声モニタ装置。
【請求項１８】
交換機のインタフェース回路にデジタル回線を介して接続されるデジタル回線終端装置であって、
前記デジタル回線に接続される共通線信号プロトコルを処理する共通線信号処理手段と、
該共通線信号処理手段に接続される音声信号送受信装置とを備えることを特徴とするデジタル回線終端装置。
【請求項１９】
前記共通線信号処理手段は、前記デジタル回線に接続されるデジタル回線インタフェース回路と、チャネル識別選択回路と、共通線信号終端回路と、保守端末インタフェース回路とからなることを特徴とする請求項１８記載のデジタル回線終端装置。
【請求項２０】
前記音声信号送受信装置は、前記チャネル識別選択回路に接続されるアナログ／デジタル変換回路と、該アナログ／デジタル変換回路に接続される電話機インタフェース回路とからなることを特徴とする請求項１９記載のデジタル回線終端装置。
【発明の詳細な説明】
【技術分野】
【０００１】
この発明は、交換機における音声モニタ方法及びその装置並びデジタル回線終端装置に関し、詳しくは交換機本体とモニタ端末との間の接続を改良する交換機における音声モニタ方法及びその装置並びデジタル回線終端装置に関する。
【背景技術】
【０００２】
従来の中継用交換機においても、中継デジタル回線を経て伝送される音声信号をモニタする手段が装備されている。その例は、図６に示すように構成されている。この例における音声モニタ手段（以下、従来技術という）は、保守端末装置１０１と、保守端末制御回路１０２と、交換制御装置１０３と、交換スイッチ１０４と、デジタル回線インタフェース回路１０５と、デジタル回線終端回路１０６と、電話機１０７とから構成されている。保守端末装置１０１と保守端末制御回路１０２とは、保守端末制御用ケーブル１０８を介して接続され、この保守端末制御用ケーブル１０８は、接続制御情報等を送受信する。デジタル回線インタフェース回路１０５とデジタル回線終端回路１０６とは、デジタル回線１０９を介して接続され、このデジタル回線１０９は、デジタル音声信号を送受信する。
【０００３】
なお、局間信号制御回路１１０は、デジタル回線インタフェース回路１０５からの共通線信号を取り込んで交換制御装置１０３に渡す。交換制御装置１０３は、共通線信号に基づいて交換スイッチ１０４、局間信号制御回路１１０及びデジタル回線インタフェース回路１０５の制御を行う。
そして、上記音声モニタ手段における音声のモニタは、次のようにして行われる。
【０００４】
モニタ対象の中継デジタル回線を交換スイッチ１０４を介してデジタル回線インタフェース回路１０５に接続させるための接続制御情報が保守端末装置１０１から入力されると、その接続制御情報は、保守端末制御用ケーブル１０８、保守端末制御回路１０２を経て交換制御装置１０３に入力される。交換制御装置１０３は、接続制御情報に基づいて交換スイッチ１０４を制御して接続制御情報対応の通信回線を交換スイッチ１０４を介して電話機１０７が接続されたデジタル回線インタフェース回路１０５の特定チャネルに接続する。そして、デジタル回線インタフェース回路１０５は、中継デジタル回線からのデジタル音声信号をデジタル回線終端回路１０６を介して電話機１０７に転送し、保守者による音声のモニタを行い得るようにして構成されている。
【０００５】
特許文献１には、インテリジェントネットワーク（ＩＮ）を利用した通話モニタ方式が開示されている。そのインテリジェントネットワークは、複数の加入者端末を収容する複数のサービス交換局の間を通話回線網で接続すると共に、複数のサービス交換局とサービス制御局との間には共通線信号網で接続されて構成されることに加えて、上記通話回線網と共通線信号網とに高機能周辺装置を接続して構成されている。
そして、上記高機能装置に設けられる特殊リソース機能にモニタ端子が設けられ、特殊リソース機能が発加入者端末と着加入者端末との通話をモニタ端子に引き込んでモニタ端子に接続されるモニタ装置で上記通話をモニタするようにしてその全体が構成されている。
【特許文献１】特開２００１−２３７９７３号公報
【発明の開示】
【発明が解決しようとする課題】
【０００６】
上述した従来技術は、中継デジタル回線を交換スイッチ１０４を介して保守用デジタル回線インタフェース回路１０５に接続させるための制御系と、保守用デジタル回線インタフェース回路１０５に接続された中継デジタル回線のデジタル音声信号の電話機１０７への転送乃至は保守用デジタル回線インタフェース回路１０５と電話機１０７との間のデジタル音声信号の送受信を行うデジタル音声信号系とを別々に構成しているため、上記制御系を構成するための保守端末制御回路１０２と、保守端末制御用ケーブル１０８とを必要不可欠な構成として装備しなければならないという技術的課題がある。
【０００７】
特許文献１は、発加入者端末と着加入者端末との通話をモニタ装置でモニタするのにインテリジェントネットワークを必要とするので、上述の従来技術と同様の技術的課題がある。
【０００８】
この発明は、上述の事情に鑑みてなされたもので、交換機本体とモニタ端末との間の接続手段の改良に役立つ交換機における音声モニタ方法及びその装置並びデジタル回線終端装置を提供することを目的としている。
【課題を解決するための手段】
【０００９】
上記課題を解決するために、請求項１記載の発明は、交換制御装置と交換スイッチとを有する交換機に接続されるデジタル回線の音声情報をモニタする音声モニタ方法に係り、前記保守端末装置に接続制御情報を生成させ、生成された接続制御情報を、インタフェース回路を介して前記交換制御装置に入力させ、前記交換制御装置は、前記接続制御情報が入力されると、前記交換スイッチを駆動して、前記デジタル回線を前記インタフェース回路に接続することで、前記保守端末装置にて、前記音声情報をモニタすることを特徴としている。
【００１０】
請求項２記載の発明は、請求項１記載の交換機における音声モニタ方法に係り、上記接続は、共通線信号方式で行うことを特徴としている。
【００１１】
請求項３記載の発明は、請求項２記載の交換機における音声モニタ方法に係り、上記インタフェース回路の上記交換制御装置への上記接続は、局間信号制御回路を介して行うことを特徴としている。
【００１２】
請求項４記載の発明は、請求項２記載の交換機における音声モニタ方法に係り、上記インタフェース回路の上記交換制御装置への上記接続は、保守端末専用の信号制御回路を介して行うことを特徴としている。
【００１３】
請求項５記載の発明は、請求項２、３又は４記載の交換機における音声モニタ方法に係り、上記共通線信号方式は、ＮＯ.７信号方式であることを特徴としている。
【００１４】
請求項６記載の発明は、請求項１乃至５のいずれか一に記載の交換機における音声モニタ方法に係り、上記モニタデジタル回線は、有線回線であることを特徴としている。
【００１５】
請求項７記載の発明は、請求項１乃至５のいずれか一に記載の交換機における音声モニタ方法に係り、上記モニタデジタル回線は、無線回線であることを特徴としている。
【００１６】
請求項８記載の発明は、請求項１乃至７のいずれか一に記載の交換機における音声モニタ方法に係り、上記交換機は、中継交換機であることを特徴としている。
【００１７】
請求項９記載の発明は、交換制御装置と交換スイッチとを有する交換機に接続されるデジタル回線の音声情報をモニタする音声モニタ装置に係り、前記交換制御装置と、前記交換スイッチと、前記交換スイッチに接続されるインタフェース回路と、前記音声情報をモニタするために、接続制御情報を生成する保守端末装置と、前記保守端末装置を前記インタフェース回路に接続する第１の接続手段と、該インタフェース回路を前記交換制御装置に接続する第２の接続手段とを備え、前記保守端末装置で生成された前記接続制御情報が、前記保守端末装置から、前記第１の接続手段、前記インタフェース回路、前記第２の接続手段を介して、前記交換制御装置に入力されると、前記交換制御装置は、前記交換スイッチをスイッチングさせて前記デジタル回線と前記インタフェース回路とを接続させることで、前記保守端末装置が前記音声情報をモニタする構成になされていることを特徴としている。
【００１８】
請求項１０記載の発明は、請求項９記載の交換機における音声モニタ装置に係り、上記保守端末装置と、上記第１の接続手段と、上記インタフェース回路と、上記第２の接続手段と、上記交換制御装置は、共通線信号方式で構成されることを特徴としている。
【００１９】
請求項１１記載の発明は、請求項９又は１０記載の交換機における音声モニタ装置に係り、上記第１の接続手段は、デジタル回線終端回路であることを特徴としている。
【００２０】
請求項１２記載の発明は、請求項９、１０又は１１記載の交換機における音声モニタ装置に係り、上記第２の接続手段は、上記交換スイッチ及び局間信号制御回路であることを特徴としている。
【００２１】
請求項１３記載の発明は、請求項９、１０又は１１記載の交換機における音声モニタ装置に係り、上記第２の接続手段は、保守端末専用の信号制御回路であることを特徴としている。
【００２２】
請求項１４記載の発明は、請求項１０、１１又は１２記載の交換機における音声モニタ装置に係り、上記共通線信号方式は、ＮＯ.７信号方式であることを特徴としている。
【００２３】
請求項１５記載の発明は、請求項９乃至１４のいずれか一に記載の交換機における音声モニタ装置に係り、上記モニタデジタル回線は、有線回線であることを特徴としている。
【００２４】
請求項１６記載の発明は、請求項９乃至１４のいずれか一に記載の交換機における音声モニタ装置に係り、上記モニタデジタル回線は、無線回線であることを特徴としている。
【００２５】
請求項１７記載の発明は、請求項９乃至１６のいずれか一に記載の交換機における音声モニタ装置に係り、上記交換機は、中継交換機であることを特徴としている。
【００２６】
請求項１８記載の発明は、交換機のインタフェース回路にデジタル回線を介して接続されるデジタル回線終端装置に係り、上記デジタル回線に接続される共通線信号プロトコルを処理する共通線信号処理手段と、該共通線信号処理手段に接続される音声信号送受信装置とを備えることを特徴としている。
【００２７】
請求項１９記載の発明は、請求項１８記載のデジタル回線終端装置に係り、上記共通線信号処理手段は、上記デジタル回線に接続されるデジタル回線インタフェース回路と、チャネル識別選択回路と、共通線信号終端回路と、保守端末インタフェース回路とからなることを特徴としている。
【００２８】
請求項２０記載の発明は、請求項１９記載のデジタル回線終端装置に係り、上記音声信号送受信装置は、上記チャネル識別選択回路に接続されるアナログ／デジタル変換回路と、該アナログ／デジタル変換回路に接続される電話機インタフェース回路とからなることを特徴としている。
【発明の効果】
【００２９】
この発明によれば、保守端末装置をモニタデジタル回線を介してインタフェース回路に接続し、インタフェース回路を交換制御装置に接続した後、接続制御情報を交換制御装置に入力して交換スイッチをスイッチングさせて交換機に接続されるデジタル回線を交換スイッチを介してインタフェース回路に接続してデジタル回線の音声情報をモニタするようにしているので、交換機側に保守端末装置を制御する制御回路を不要にすると共に、保守端末装置と制御回路とを接続するケーブルも不要にすることができる。
【発明を実施するための最良の形態】
【００３０】
この発明は、保守端末装置のモニタデジタル回線を介してのインタフェース回路への接続と、インタフェース回路の交換制御装置への接続と、この接続系を介して接続制御情報を交換制御装置に入力すること、交換制御装置による交換スイッチのスイッチングにより交換機に接続されるデジタル回線を交換スイッチを介してインタフェース回路に接続してデジタル回線の音声情報を保守端末装置でモニタするようにして構成される。
【実施例１】
【００３１】
図１は、この発明の実施例１である中継交換機の音声モニタ装置の電気的構成を示す図、図２は、同音声モニタ装置のデジタル回線終端回路の構成図、図３は、同音声モニタ装置の保守端末制御のＳＳ７信号プロトコル構成例を示す図、また、図４は、同音声モニタ装置の通話モニタの動作フローチャートである。
この実施例の音声モニタ装置１０は、音声をモニタしようとするチャネルを交換スイッチを介して保守用デジタル回線インタフェース回路に接続させる接続制御情報を、局間のデジタル回線インタフェース回路で受信される共通線信号と同等に局間信局間信号制御回路で受信し、その接続制御情報に基づいて交換制御装置が上記チャネルを交換スイッチを介してデジタル回線インタフェース回路に接続させるようにした装置に係り、図１に示すように、その要部構成として、中継交換機１２に、保守用デジタル回線インタフェース回路１４と、交換スイッチ１６と、局間信号制御回路１８と、制御線１９と、交換制御装置２０とが設けられ、そして保守用デジタル回線インタフェース回路１４にデジタル回線（ケーブル）２１を介してデジタル回線終端回路２２が接続され、デジタル回線終端回路２２に保守端末装置２４及び電話機２６が接続されて構成されている。
【００３２】
なお、交換スイッチ１６には、通常の中継交換機と同様に、複数の中継デジタル回線のためのデジタル回線インタフェース回路３２、３４が接続され、これらのデジタル回線インタフェース回路は、局間信号制御回路１８に接続される構成となっている。交換制御装置２０から保守用デジタル回線インタフェース回路１４及びデジタル回線インタフェース回路３２、３４への制御線１５、３３、３４は、通常の中継交換機に設けられる一般的な制御線である。
交換スイッチ１６、局間信号制御回路１８及び交換制御装置２０については、この実施例の発明に関連する機能部分に付いて説明する。
【００３３】
保守用デジタル回線インタフェース回路１４は、ＳＳ７信号プロトコルのうちの交換機側のレベル１に係る制御機能を備える回路である。
交換スイッチ１６は、交換制御装置２０の制御の下に中継用デジタル回線インタフェース回路３２，３４間の接続を行うほか、中継用デジタル回線インタフェース回路で受信されるデジタル音声信号チャネルのうち電話機でモニタしたいチャネルと保守用デジタル回線インタフェース回路１４との接続をも行うチャネル間接続手段である。
【００３４】
局間信号制御回路１８は、ＳＳ７信号プロトコルのうちの交換機側のレベル２に係る制御機能を備える回路である。
制御線１９は、局間信号制御回路１８と交換制御装置２０とを接続する制御線である。制御線１９は、制御線３３と共用されるように構成されてもよい。
交換制御装置２０は、交換スイッチ１６のスイッチング制御と共に、ＳＳ７信号プロトコルのうちの交換機側のレベル３に係るプログラム制御機能のほか、ＳＳ７信号プロトコルのうちの交換機側のレベル４に係るプログラム制御機能を備える装置である。交換制御装置２０における制御機能は、交換制御装置２０内に記憶されるプログラムにより実現する構成である。ＳＳ７信号プロトコルのうちの交換機側のレベル４に係るプログラム制御機能は、信号フォーマット内のＴＵＰ（テレフォンユーザパート）又はＩＳＵＰ（ＩＳＤＮユーザパート）の未定義フィールドを使用して実現する構成となっている。
【００３５】
上述の交換機側のＳＳ７信号プロトコルの各レベルの処理を行う機能に対応する保守端末側のＳＳ７信号プロトコルの各レベルの処理を行う機能は、デジタル回線終端回路２２に備えて構成されている。
デジタル回線終端回路２２は、図２に示すように構成され、ＤＴＩインタフェース回路（デジタル回線インタフェース回路）５１と、ＣＨ識別選択回路（チャネル識別選択回路）５２と、ＳＳ７信号終端回路５３と、Ａ／Ｄ変換回路（アナログ／デジタル変換回路）５４と、保守端末インタフェース回路５５と、電話機インタフェース回路５６とから構成されている。
【００３６】
ＤＴＩインタフェース回路５１は、１チャネルの同期チャネルと３０チャネルの通話路を収容し、交換機側の保守用デジタル回線インタフェース回路（ＤＴＩ）１４とのインタフェースを取ってビット同期等のＳＳ７信号プロトコルのレイヤ１を制御する回路であり、収容される各チャネルのビットレートは、例えば、２Ｍbpsである。
ＣＨ識別選択回路５２は、ＤＴＩインタフェース回路５１との間で送受信される２Ｍｂｐｓのビットストリームの同期チャネルに基づいて３０チャネルの通話路の識別を行って音声モニタ用に割り当てられているチャネルを選択し、選択されたチャネルとＳＳ７信号終端回路５３との間での６４ＫbpsのＳＳ７信号データの送受信制御を行うと共に、上記の選択されたチャネルとＡ／Ｄ変換回路（アナログ／デジタル変換回路）５４との間での６４Ｋbpsの音声データの送受信制御を行う。
【００３７】
ＳＳ７信号終端回路５３は、ＳＳ７信号プロトコルのレベル２及びレベル３を終端し、レベル４については、例えば、ＴＵＰ又はＩＳＵＰの未定義フィールドに保守端末を制御するデータ（保守端末制御データ、例えば、通信チャネル接続情報）を挿入して該保守端末制御データをＣＨ識別選択回路５２と保守端末インタフェース回路５５との間で送受信する。
Ａ／Ｄ変換回路５４は、ＣＨ識別選択回路５２との間で送受信される６４Ｋbpsの音声データをアナログ音声信号に変換して電話機インタフェース回路５６との間で送受信する。
【００３８】
保守端末インタフェース回路５５は、ＳＳ７信号終端回路５３から受信する保守端末制御データを保守端末装置２４の電気信号フォーマットの信号に変換して保守端末装置２４に送信し、保守端末装置２４から受信される電気信号フォーマットの信号を保守端末制御データに変換してＳＳ７信号終端回路５３に送信する。
電話機インタフェース回路５６は、Ａ／Ｄ変換回路５４との間で送受信されるアナログの音声信号フォーマットと電話機インタフェース回路５６との間で送受信されるアナログの電気信号フォーマットとを整合させるための変換（インピーダンス変換等）を行ってＡ／Ｄ変換回路５４との間又は電話機２６との間での送受信を行う。
【００３９】
次に、図１乃至図４を参照して、この実施例の動作を説明する。
通話モニタの動作フローは、図４に示すように、チャネルの選択準備、チャネルの引き込みパス接続、通話モニタの実行及びチャネルの引き込みパス開放から構成され、チャネルの選択準備、チャネルの引き込みパス接続及びチャネルの引き込みパス開放の３つの動作フローは、保守端末装置２４と交換制御装置２０内のプログラムとの間で情報の送受信を行い、通信チャネルの選択の可否を検証し、その上で交換スイッチ１６を制御して通話モニタのチャネルの引き込みパス接続を行い、通話モニタの実行後接続されていたパスの開放を行う。
【００４０】
その通話モニタのチャネルの引き込みパス接続を行うのに先立って、通話チャネル選択可否検証シーケンスが保守端末装置２４と中継交換機３６との間で取られる。
保守者が保守端末装置２４に対し通信チャネルの選択操作を行い、保守端末装置２４から通話チャネル選択可否検証指示を入力すると（図４の４０１）、通話チャネル選択可否検証指示信号は、デジタル回線終端回路２２に転送される（図４の４０２）。この入力処理は、図３のＳＳ７信号プロトコルに示す保守端末側のユーザパートのレベル４に対応する。チャネル選択可否検証指示信号は、デジタル回線終端回路２２の保守端末インタフェース回路５５を介してＳＳ７信号終端回路５３に渡され、ＳＳ７信号終端回路５３でＳＳ７信号プロトコルのレベル３（経路情報等の設定）の処理（信号メッセージの作成）、そしてレベル２（データのフレーム構成等の生成）の処理（信号ユニツトの作成）が行われ（図３のＳＳ７信号プロトコルに示す保守端末側のメッセージトランスファーパートのレベル３、レベル２に対応する処理）、ＣＨ識別選択回路５２を介してＤＴＩインタフェース回路５１へ送られ、そこでＳＳ７信号プロトコルのレベル１（物理的／電気的インタフェースの設定）の処理（図３のＳＳ７信号プロトコルに示す保守端末側のメッセージトランスファーパートのレベル１に対応する処理）が行われてＳＳ７信号プロトコルで決まる信号フォーマットの信号を生成する。
【００４１】
ＤＴＩインタフェース回路５１で処理されて生成された信号は、デジタル回線終端回路２２からデジタル回線２１を介して中継交換機３６の保守用ＤＴＩインタフェース回路１４（図４ではＤＴＩと記す）へ転送され（図４の４０３）、そこでＳＳ７プロトコルのレベル１の処理（図３のＳＳ７信号プロトコルに示す交換機側のメッセージトランスファーパートのレベル１に対応する処理）が行われた後、交換スイッチ１６の半固定パスを介して局間信号制御回路１８（図４ではＳＳ７と記す）へ送られ（図４の４０４）、そこでＳＳ７信号プロトコルのレベル２の処理（図３のＳＳ７信号プロトコルに示す交換機側のメッセージトランスファーパートのレベル２に対応する処理）が行われる。
【００４２】
局間信号制御回路１８での処理後、処理された信号は、局間信号制御回路１８から制御線１９を介して交換制御装置２０へ転送され（渡され）、交換制御装置２０のプログラムは、チャネル選択可否検証に係るＳＳ７信号プロトコルのレベル３の処理、そしてレベル４の処理（これらの処理は、図３のＳＳ７信号プロトコルに示す交換機側のメッセージトランスファーパートのレベル３及びレベル４に対応する）を行って通信チャネルの選択可否を判断する。
【００４３】
この通信チャネルの選択可否の処理が完了すると、交換制御装置２０のプログラムは、選択可否情報についてのＳＳ７信号プロトコルのレベル４の処理、そしてレベル３の処理（図３のＳＳ７信号プロトコルに示す交換機側のメッセージトランスファーパートのレベル４及びレベル３に対応する処理）を行い、その結果は交換制御装置２０から制御線１９を介して局間信号制御回路１８へ渡されて（図４の４０６）そこでＳＳ７信号プロトコルのレベル２の処理（図３のＳＳ７信号プロトコルに示す交換機側のメッセージトランスファーパートのレベル２に対応する処理）が行われる。局間信号制御回路１８での処理結果が、交換スイッチ１６を介して保守用デジタル回線インタフェース回路１４へ渡されて（図４の４０７）そこでＳＳ７信号プロトコルのレベル１の処理（図３のＳＳ７信号プロトコルに示す交換機側のメッセージトランスファーパートのレベル１に対応する処理）が行われてＳＳ７信号プロトコルで決まる信号フォーマットの信号を生成する。
保守用デジタル回線インタフェース回路１４で生成された信号は、保守用デジタル回線インタフェース回路１４からデジタル回線２１を介してデジタル回線終端回路２２へ転送される（図４の４０８）。
【００４４】
デジタル回線終端回路２２へ転送されて来た信号は、そのＤＴＩインタフェース回路５１でＳＳ７信号プロトコルのレベル１の処理（図３のＳＳ７信号プロトコルに示す保守端末側のメッセージトランスファーパートのレベル１に対応する処理）が行われた後、その処理後の情報は、ＣＨ識別選択回路５２を介してＳＳ７信号終端回路５３へ渡される。ＳＳ７信号終端回路５３において、ＳＳ７信号プロトコルのレベル２、そしてレベル３の処理（図３のＳＳ７信号プロトコルに示す保守端末側のメッセージトランスファーパートのレベル２及びレベル３に対応する処理）が行われる。ＳＳ７信号終端回路５３から出力される情報は、保守端末インタフェース回路５５を介して保守端末装置２４へ転送されて（図４の４０９）ＳＳ７信号プロトコルのレベル４の処理（図３のＳＳ７信号プロトコルに示す保守端末側のメッセージトランスファーパートのレベル４に対応する処理）が行われ、保守端末装置２４は、保守者へ通信チャネルの選択可否を通知する（図４の４１０）。
【００４５】
通信チャネルの選択が可能であると、通話チャネルのパス接続シーケンスが保守端末装置２４と中継交換機３６との間で取られる。
通話をモニタしようとする通信チャネルを引き込み、パス接続を行うべく、保守者が保守端末装置２４から通話チャネル接続指示（通信チャネル接続情報、例えば、デジタル回線インタフェース回路３３の通話モニタ対象のチャネルと保守用デジタル回線インタフェース回路１４の所定のチャネルとのパス接続情報）を入力すると（図４の４１１）、通話チャネル接続指示信号は、デジタル回線終端回路２２に転送される（図４の４１２）。この入力処理は、図３のＳＳ７信号プロトコルに示す保守端末側のユーザパートのレベル４に対応する。通話チャネル接続指示信号は、デジタル回線終端回路２２の保守端末インタフェース回路５５を介してＳＳ７信号終端回路５３に渡され、ＳＳ７信号終端回路５３でＳＳ７信号プロトコルのレベル３（経路情報等の設定）の処理、そしてレベル２（データのフレーム構成等の生成）の処理（図３のＳＳ７信号プロトコルに示す保守端末側のメッセージトランスファーパートのレベル３、レベル２に対応する処理）が行われ、ＣＨ識別選択回路５２を介してＤＴＩインタフェース回路５１へ送られ、そこでＳＳ７信号プロトコルのレベル１（物理的／電気的インタフェースの設定）の処理（図３のＳＳ７信号プロトコルに示す保守端末側のメッセージトランスファーパートのレベル１に対応する処理）が行われてＳＳ７信号プロトコルで決まる信号フォーマットの信号を生成する。
【００４６】
ＤＴＩインタフェース回路５１で処理されて生成された信号は、デジタル回線終端回路２２からデジタル回線２１を介して中継交換機３６の保守用ＤＴＩインタフェース回路１４へ転送され（図４の４１３）、そこでＳＳ７プロトコルのレベル１の処理（図３のＳＳ７信号プロトコルに示す交換機側のメッセージトランスファーパートのレベル１に対応する処理）が行われた後、交換スイッチ１６を介して局間信号制御回路１８へ送られ（図４の４１４）、そこでＳＳ７信号プロトコルのレベル２の処理（図３のＳＳ７信号プロトコルに示す交換機側のメッセージトランスファーパートのレベル２に対応する処理）が行われる。
【００４７】
局間信号制御回路１８での処理後、処理された信号は、局間信号制御回路１８から制御線１９を介して交換制御装置２０へ渡され（図４の４１５）、交換制御装置２０のプログラムは、ＳＳ７信号プロトコルのレベル３の処理を行ってレベル４の信号を抽出する（これらの処理は、図３のＳＳ７信号プロトコルに示す交換機側のメッセージトランスファーパートのレベル３及びレベル４に対応する）。交換制御装置２０のプログラムは、抽出された信号から必要な情報（通話チャネル接続情報）を引き出し、その通話チャネル接続情報に基づいて交換スイッチ１６を制御して通話モニタ対象の通信チャネルが収容されているデジタル回線インタフェース回路３２のチャネルと保守用デジタル回線インタフェース回路１４の所定のチャネルとの間のパス接続を行う（図４の４１６）。
【００４８】
このパス接続が完了すると、交換制御装置２０のプログラムは、パス接続完了情報についてのＳＳ７信号プロトコルのレベル４の処理、そしてレベル３の処理（図３のＳＳ７信号プロトコルに示す交換機側のメッセージトランスファーパートのレベル４及びレベル３に対応する処理）を行ってその結果が交換制御装置２０から制御線１９を介して局間信号制御回路１８へ渡されて（図４の４１７）そこでＳＳ７信号プロトコルのレベル２の処理（図３のＳＳ７信号プロトコルに示す交換機側のメッセージトランスファーパートのレベル２に対応する処理）が行われる。局間信号制御回路１８での処理結果が、交換スイッチ１６を介してデジタル回線インタフェース回路１４へ渡されて（図４の４１８）そこでＳＳ７信号プロトコルのレベル１の処理（図３のＳＳ７信号プロトコルに示す交換機側のメッセージトランスファーパートのレベル１に対応する処理）が行われてＳＳ７信号プロトコルで決まる信号フォーマットの信号を生成する。
デジタル回線インタフェース回路１４で生成された信号は、デジタル回線２１を介してデジタル回線終端回路２２へ転送される（図４の４１９）。
【００４９】
デジタル回線終端回路２２へ転送されて来た信号は、そのＤＴＩインタフェース回路５１でＳＳ７信号プロトコルのレベル１の処理（図３のＳＳ７信号プロトコルに示す保守端末側のメッセージトランスファーパートのレベル１に対応する処理）が行われた後、その処理後の情報は、ＣＨ識別選択回路５２を介してＳＳ７信号終端回路５３へ渡される。ＳＳ７信号終端回路５３において、ＳＳ７信号プロトコルのレベル２、そしてレベル３の処理（図３のＳＳ７信号プロトコルに示す保守端末側のメッセージトランスファーパートのレベル２及びレベル３に対応する処理）が行われる。ＳＳ７信号終端回路５３から出力される情報は、保守端末インタフェース回路５５を介して保守端末装置２４へ転送されて（図４の４２０）ＳＳ７信号プロトコルのレベル４の処理（図３のＳＳ７信号プロトコルに示す保守端末側のメッセージトランスファーパートのレベル４に対応する処理）が行われ、保守端末装置２４は、保守者へ通話モニタチャネルの引き込み接続が完了したことを通知する（図４の４２１）。
【００５０】
上述したパス接続により、通話モニタチャネルのデジタル音声データは、デジタル回線インタフェース回路３２から交換スイッチ１６、保守用デジタル回線インタフェース回路１４を経てデジタル回線終端回路２２へ入力される。
その音声データは、デジタル回線終端回路２２において、そのＤＴＩインタフェース回路５１、ＣＨ識別選択回路５２を経てＡ／Ｄ変換回路５４へ入力される。Ａ／Ｄ変換回路５４で変換されたアナログ音声信号は、電話機インタフェース回路５６を経て電話機２６に入力される。
かくして、保守者は、通話モニタチャネルの音声の聴取、すなわち、通話モニタの実行が行われる。
【００５１】
上述のようにしての、通話モニタ対象の通話チャネルの音声のモニタが終了したとき、その通話チャネルの開放シーケンスが保守端末装置２４と中継交換機３６との間で取られる。
通話をモニタしていた通信チャネルを開放しようとする際、保守者が保守端末装置２４から通話チャネル開放指示（通信チャネル開放情報）を入力すると（図４の４３１）、通話チャネル開放指示信号は、デジタル回線終端回路２２に転送される（図４の４３２）。この入力処理は、図３のＳＳ７信号プロトコルに示す保守端末側のユーザパートのレベル４に対応する。通話チャネル開放指示信号は、デジタル回線終端回路２２の保守端末インタフェース回路５５を介してＳＳ７信号終端回路５３に渡され、ＳＳ７信号終端回路５３でＳＳ７信号プロトコルのレベル３（経路情報等の設定）の処理、そしてレベル２（データのフレーム構成等の生成）の処理（図３のＳＳ７信号プロトコルに示す保守端末側のメッセージトランスファーパートのレベル２及びレベル３に対応する処理）が行われ、ＣＨ識別選択回路５２を介してＤＴＩインタフェース回路５１へ送られ、そこでＳＳ７信号プロトコルのレベル１（物理的／電気的インタフェースの設定）の処理（図３のＳＳ７信号プロトコルに示す保守端末側のメッセージトランスファーパートのレベル１に対応する処理）が行われてＳＳ７信号プロトコルで決まる信号フォーマットの信号を生成する。
【００５２】
ＤＴＩインタフェース回路５１で処理されて生成された信号は、デジタル回線終端回路２２からデジタル回線２１を介して中継交換機３６の保守用ＤＴＩインタフェース回路１４へ転送され（図４の４３３）、そこでＳＳ７プロトコルのレベル１の処理（図３のＳＳ７信号プロトコルに示す交換機側のメッセージトランスファーパートのレベル１に対応する処理）が行われた後、交換スイッチ１６を介して局間信号制御回路１８へ送られ（図４の４３４）、そこでＳＳ７信号プロトコルのレベル２の処理（図３のＳＳ７信号プロトコルに示す交換機側のメッセージトランスファーパートのレベル２に対応する処理）が行われる。
【００５３】
局間信号制御回路１８での処理後、処理された信号は、局間信号制御回路１８から交換制御装置２０へ転送され（渡され）（図４の４３５）、交換制御装置２０のプログラムは、ＳＳ７信号プロトコルのレベル３の処理を行ってレベル４の信号を抽出する。これらの処理は、図３のＳＳ７信号プロトコルに示す交換機側のメッセージトランスファーパートのレベル３及びレベル４に対応する。交換制御装置２０のプログラムは、抽出された信号から必要な情報（通話チャネル開放情報）を引き出し、その通話チャネル開放情報に基づいて交換スイッチ１６を制御して、例えば、通話モニタ対象の通信チャネルが収容されているデジタル回線インタフェース回路３２のチャネルと保守用デジタル回線インタフェース回路１４の所定のチャネルとを接続していたパスを開放する（図４の４３６）。
【００５４】
こうしてパスが開放されると、交換制御装置２０のプログラムは、パス開放情報についてのＳＳ７信号プロトコルのレベル４の処理、そしてレベル３の処理（図３のＳＳ７信号プロトコルに示す交換機側のメッセージトランスファーパートのレベル４及びレベル３に対応する処理）を行ってその結果が交換制御装置２０から局間信号制御回路１８へ渡されて（図４の４３７）そこでＳＳ７信号プロトコルのレベル２の処理（図３のＳＳ７信号プロトコルに示す交換機側のメッセージトランスファーパートのレベル２に対応する処理）が行われる。局間信号制御回路１８での処理結果が、交換スイッチ１６を介してデジタル回線インタフェース回路１４へ渡されて（図４の４３８）そこでＳＳ７信号プロトコルのレベル１の処理（図３のＳＳ７信号プロトコルに示す交換機側のメッセージトランスファーパートのレベル１に対応する処理）が行われてＳＳ７信号プロトコルで決まる信号フォーマットの信号を生成する。
保守用デジタル回線インタフェース回路１４で生成された信号は、保守用デジタル回線インタフェース回路１４からデジタル回線２１を介してデジタル回線終端回路２２へ転送される（図４の４３９）。
【００５５】
デジタル回線終端回路２２へ転送されて来た信号は、そのＤＴＩインタフェース回路５１でＳＳ７信号プロトコルのレベル１の処理（図３のＳＳ７信号プロトコルに示す保守端末側のメッセージトランスファーパートのレベル１に対応する処理）が行われた後、その処理後の情報は、ＣＨ識別選択回路５２を介してＳＳ７信号終端回路５３へ渡される。ＳＳ７信号終端回路５３において、ＳＳ７信号プロトコルのレベル２、そしてレベル３の処理（図３のＳＳ７信号プロトコルに示す保守端末側のメッセージトランスファーパートのレベル２及びレベル３に対応する処理）が行われる。ＳＳ７信号終端回路５３から出力される情報は、保守端末インタフェース回路５５を介して保守端末装置２４へ転送されて（図４の４４０）ＳＳ７信号プロトコルのレベル４の処理（図３のＳＳ７信号プロトコルに示す保守端末側のメッセージトランスファーパートのレベル４に対応する処理）が行われ、保守端末装置２４は、保守者へ通話モニタのチャネルが開放されたことを通知する（図４の４４１）。
【００５６】
このように、この実施例の構成によれば、ＳＳ７信号プロトコル構成を中継交換機側と保守端末装置側との間に採用して保守用デジタル回線インタフェース回路を局間信号制御回路に収容させるようにして、中継交換機における保守端末装置の中継線（デジタル回線）への接続制御を、中継線間の接続制御と同等に為し得る構成にしたので、中継交換機側に、保守端末装置を制御する制御回路を不要にすると共に、保守端末装置と制御回路とを接続するケーブルも不要にすることができる。
【実施例２】
【００５７】
図５は、この発明の実施例２である中継交換機の音声モニタ装置の電気的構成を示す図である。
この実施例の構成が、実施例１のそれと大きく異なる点は、保守端末専用の信号制御回路を保守用デジタル回線インタフェース回路と交換制御装置との間に設けて構成した点である。
すなわち、この実施例の中継交換機の音声モニタ装置１０Ａは、図５に示すように、保守用デジタル回線インタフェース回路１４と交換制御装置２０との間に保守端末専用の信号制御回路２８を設けて構成したことにその特徴がある。
保守端末専用の信号制御回路２８は、実施例１の局間信号制御回路１８と同等の機能、すなわち、ＳＳ７信号プロトコルのレベル２の処理を行う。
なお、局間信号制御回路１８Ａは、従来の中継交換機のものである。
この構成以外のこの実施例の構成は、実施例１と同じであるので、同一の構成部分には同一の参照符号を付して、その逐一の説明は省略する。
【００５８】
次に、図５を参照して、この実施例の動作について説明する。
この実施例における通話モニタにおいても、実施例１における通話モニタと同様、その動作フローは、図４に示すように、チャネルの選択準備、チャネルの引き込みパス接続、通話モニタの実行及びチャネルの引き込みパス開放から構成されている。そして、チャネルの選択準備、チャネルの引き込みパス接続及びチャネルの引き込みパス開放の３つの動作フローは、保守端末装置２４と交換制御装置２０内のプログラムとの間で情報の送受信を行い、通信チャネルの選択の可否を検証し、その上で交換スイッチ１６を制御して通話モニタのチャネルの引き込みパス接続を行い、通話モニタの実行後接続されていたパスの開放を行うことは、実施例１と同様である。
【００５９】
実施例１において、上記３つの動作フローについて説明した局間信号制御回路１８での処理は、この実施例では保守端末専用の信号制御回路２８で行われる。
その他の点は、実施例１と同様であるので、その逐一の説明は省略する。  
このように、この実施例の構成によっても、実施例１と同等の効果が得られる。
【００６０】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、実施例１及び実施例２は、中継デジタル回線のみを収容する中継交換機におけるこの発明の実施が特に有効であるので、中継交換機において実施する場合について説明したが、加入者回線を収容する交換機においても実施可能である。
【００６１】
また、共通線信号方式として、ＳＳ７信号プロトコルの例を説明したが、これに限らず、その他の共通線信号方式を用いてこの発明を実施し得る。共通線信号方式に基づく接続処理に準ずる接続手順で、実施例１及び実施例２に示すＳＳ７信号プロトコル等で行う機能を代替することも可能である。
また、保守用デジタル回線インタフェース回路とデジタル回線終端回路との接続をデジタル回線（ケーブル）で行う例を説明したが、その接続を無線回線で行うことも可能である。
また、デジタル回線終端回路のＳＳ７信号終端回路の処理をプログラムで代替してもよい。
【図面の簡単な説明】
【００６２】
【図１】この発明の実施例１である中継交換機の音声モニタ装置の電気的構成を示す図である。
【図２】同音声モニタ装置のデジタル回線終端回路の構成図である。
【図３】同音声モニタ装置の保守端末制御のＳＳ７信号プロトコル構成例を示す図である。
【図４】同音声モニタ装置の通話モニタの動作フローチャートである。
【図５】この発明の実施例２である中継交換機の音声モニタ装置の電気的構成を示す図である。
【図６】従来の中継交換機の音声モニタ装置の電気的構成を示す図である。
【符号の説明】
【００６３】
１０、１０Ａ      中継交換機の音声モニタ装置（交換機における音声モニタ装置）
１２      中継交換機（交換機）
１４      保守用デジタル回線インタフェース回路（インタフェース回路）
１６      交換スイッチ
１８      局間信号制御回路（第２の接続手段）
１９      制御線１９
２０      交換制御装置
２１      デジタル回線（ケーブル）
２２      デジタル回線終端回路（第１の接続手段）
２４      保守端末装置
２６      電話機
２８      保守端末専用の信号制御回路（第２の接続手段）
５１      デジタル回線インタフェース回路
５２      ＣＨ識別選択回路（チャネル識別選択回路）
５３      ＳＳ７信号終端回路
５４      Ａ／Ｄ変換回路
５５      保守端末インタフェース回路
５６      電話機インタフェース回路
【図１】
2008005245.tif 000003
【図２】
2008005245.tif 000004
【図３】
2008005245.tif 000005
【図４】
2008005245.tif 000006
【図５】
2008005245.tif 000007
【図６】
2008005245.tif 000008